(57)【要約】【課題】開封したときに確実にＩＣタグが破壊され、開封前とＩＣタグの応答が異なり、開封したことが確実に判定できるＩＣタグ付包装体を提供する。【解決手段】内装容器包装を包装している開封テープ２付の外装フィルム３にＩＣタグ４が取り付けら、ＩＣタグは、インレット基材５と、インレット基材上に設けられたアンテナ６と、ＩＣチップ７とからなるインレット８の片面に接着層９を設けてなり、接着層を介して外装フィルムに取り付けられていて、インレットが開封テープに跨っている。【選択図】図２
2014154084.tif 000002
【特許請求の範囲】
【請求項１】
内装容器包装を包装している開封テープ付の外装フィルムにＩＣタグが取り付けられたＩＣタグ付包装体であって、
前記ＩＣタグは、インレット基材と、該インレット基材上に設けられたアンテナと、ＩＣチップとからなるインレットの片面に接着層を設けてなり、前記接着層を介して前記外装フィルムに取り付けられていて、前記インレットが前記開封テープに跨っていることを特徴とするＩＣタグ付包装体。
【請求項２】
前記インレット基材が紙であることを特徴とする請求項１に記載のＩＣタグ付包装体。
【請求項３】
前記インレット基材が樹脂フィルムであって、該樹脂フィルムには、前記開封テープより開封するときに、切断されるように弱化加工部が設けられていることを特徴とする請求項１に記載のＩＣタグ付包装体。
【発明の詳細な説明】
【技術分野】
【０００１】
本発明は、ＩＣタグ付包装体に関するものである。詳しくは、箱やプラス知育ケースなどの内装容器包装を包装している開封テープ付の外装フィルムにＩＣタグが取り付けられたＩＣタグ付包装体に関するものである。
【背景技術】
【０００２】
従来より、偽造防止や真贋判定のために、ホログラムなどの光学変化デバイス（ＯＶＤ）が使用されている。また、固有の識別情報が記憶されたＩＣチップを埋め込むことも行われるようになってきた。
【０００３】
このようなＩＣチップを搭載したＩＣタグを、商品本体や商品を包装する包装体に容易に装着させるため、熱収縮性フィルムに組み込んだ、非接触ＩＣタグ付シュリンクフィルムがある。
【０００４】
この非接触ＩＣタグ付シュリンクフィルムは、熱収縮性フィルム層の裏面に感圧接着性層が設けられ、該感圧接着性層を介して、アンテナ付きＩＣチップからなるＩＣモジュールをフィルム基材に装着したＩＣタグインレットが、取り付け配置されている（特許文献１）。
【０００５】
これを、偽造防止や真贋判定のために、不正開封防止するのに用いるには、開封されたときに確実に、開封前のＩＣタグの応答と異なるようにならなくてはならないが、きれいに剥がせば、再度包装することが出来るので、開封されたことがわからない恐れがある。
【０００６】
また、偽造防止用ＩＣラベルとして、ラベル基材と、アンテナ及びＩＣチップからなる非接触ＩＣインレットと、被貼付体に接着する接着層とが設けられた偽造防止用ＩＣラベルにおいて、非接触ＩＣインレットのアンテナが、易破壊性を有する材質からなるラベル基材の一方の面に、離型性層を介して設けられ、さらに離型性層及びアンテナを覆う状態で接着層が設けられている偽造防止用ＩＣラベルで、ラベル基材が易破壊性を有する材質からなり、アンテナが導電性ペーストで形成されたものがある（特許文献２）。
【０００７】
この非接触ＩＣインレット部を故意に剥がして取り替えようとすると、アンテナが破壊、もしくは剥離されて、取り替え等による不正使用を不可能にすることができる。この場合、被貼付体ごと剥がして、他に使用することが出来る恐れがある。
【０００８】
公知文献を以下に示す。
【先行技術文献】
【特許文献】
【０００９】
【特許文献１】特開２００６−３０５８６０号公報
【特許文献２】特開２００９−７５７１２号公報
【発明の概要】
【発明が解決しようとする課題】
【００１０】
本発明は上記した事情に鑑みてなされたもので、開封したときに確実にＩＣタグが破壊され、開封前とＩＣタグの応答が異なり、開封したことが確実に判定できるＩＣタグ付包装体を提供することを課題としている。
【課題を解決するための手段】
【００１１】
本発明の請求項１に係る発明は、内装容器包装を包装している開封テープ付の外装フィルムにＩＣタグが取り付けられたＩＣタグ付包装体であって、
前記ＩＣタグは、インレット基材と、該インレット基材上に設けられたアンテナと、ＩＣチップとからなるインレットの片面に接着層を設けてなり、前記接着層を介して前記外装フィルムに取り付けられていて、前記インレットが前記開封テープに跨っていることを特徴とするＩＣタグ付包装体である。
【００１２】
本発明のＩＣタグ付包装体は、インレットが開封テープに跨って外装フィルムに取り付けられているので、開封テープを引っ張って外装フィルムを破断してＩＣタグ付包装体を開封すると、確実にＩＣタグが破壊され、開封前とＩＣタグの応答が異なり、開封したことが確実に判定できる。
【００１３】
本発明の請求項２に係る発明は、前記インレット基材が紙であることを特徴とする請求項１に記載のＩＣタグ付包装体である。
【００１４】
本発明のＩＣタグ付包装体は、インレット基材が紙であるので、開封テープを引っ張って外装フィルムを破断するときに、インレット基材の紙がたやすく破れ、インレットが容易に破壊され、確実にＩＣタグが破壊される。
【００１５】
本発明の請求項３に係る発明は、前記インレット基材が樹脂フィルムであって、該樹脂フィルムには、前記開封テープより開封するときに、切断されるように弱化加工部が設けられていることを特徴とする請求項１に記載のＩＣタグ付包装体である。
【００１６】
本発明のＩＣタグ付包装体は、インレット基材が樹脂フィルムであって、樹脂フィルムに切断されるように弱化加工部が設けられているので、インレット基材がたやすく破れ、インレットが容易に破壊され、確実にＩＣタグが破壊される。
【発明の効果】
【００１７】
本発明のＩＣタグ付包装体は、開封したときにインレットが容易に破壊され、確実にＩＣタグが破壊され、開封前とＩＣタグの応答が異なり、開封したことが確実に判定できる。
【図面の簡単な説明】
【００１８】
【図１】本発明のＩＣタグ付包装体の一例を模式的に斜視で示した説明図である。
【図２】本発明のＩＣタグ付包装体の一例で外装フィルムに取り付けたＩＣタグの部分を模式的に断面で示した説明図である。
【発明を実施するための形態】
【００１９】
以下、本発明を実施するための形態につき説明する。
図１は、本発明のＩＣタグ付包装体の一例を模式的に斜視で示した説明図、図２は、本発明のＩＣタグ付包装体の一例で外装フィルムに取り付けたＩＣタグの部分を模式的に断面で示した説明図である。
【００２０】
本例のＩＣタグ付包装体１００は、図１の斜視図に示すように、点線で示した内装容器包装１が、開封テープ２の付いた外装フィルム３で包装されていて、ＩＣタグ４が開封テープ２を跨ぐように取り付けられている。
【００２１】
ＩＣタグ４は、図２の断面図のように、インレット基材５と、インレット基材５の上に設けられたアンテナ６と、ＩＣチップ７とからなるインレット８と、インレット８の片面
のＩＣチップ７側に接着層９が設けられていて、インレット基材５と接着層９の間に、アンテナ６とＩＣチップ７が挟まれた構造になっている。
【００２２】
ＩＣタグ４を開封テープ２に取り付けるときに、インレット８が開封テープ２を跨ぐように、更には、アンテナ６が開封テープ２を跨ぐように設ける。これにより、開封テープ２を引っ張って外装フィルム３を切断して、内装容器包装１を開くときに、確実にＩＣタグ４の機能が破壊され、開封前とＩＣタグ４の応答が異なり、開封したことが確実に判定できる。
【００２３】
内装容器包装１は、特に限定されるものではなく、紙箱やプラスチックケース、ガラス瓶、プラスチックボトル、金属缶、液体用紙容器など、ある程度以上の剛性があり、外装フィルム３で包装できるものであればかまわない。
【００２４】
開封テープ２は、別名、カットテープ、あるいは、ティアテープとも呼ばれ、外装フィルム３の内面にホットメルトや粘着剤などの接着剤で取り付けられ、この開封テープ２を引っ張って外装フィルム３を引き裂き、開封するものである。材質としてはポリエチレンテレフタレートの延伸テープが一般的に用いられている。厚みとしては２０μｍが一般的である。
【００２５】
外装フィルム３を紙箱などに用いる場合は、ポリプロピレン系の延伸フィルムなどが用いられる。延伸フィルムの厚さは、２５から３０μｍが一般的に用いられている。また、ガラス瓶やプラスチックボトルなどにはシュリンクフィルムが用いられ、ポリエステル系、ポリスチレン系、ポリ塩化ビニル系、ポリエチレン系、ポリプロピレン系などの熱収縮性のあるフィルムが使用される。
【００２６】
インレット基材５には、開封テープ２を引っ張って外装フィルム３を引き裂いたときに、インレット基材５も一緒に引き裂くことが出来るように、紙が好ましく用いられる。また、インレット基材５に樹脂フィルムを用いることも出来る。
【００２７】
インレット基材５に用いる樹脂フィルムとしては、ポリエチレンテレフタレート、ポリエチレンナフタレート、あるいは、ポリイミドなどのフィルムや、あるいは発泡ポリエチレンテレフタレートシートなどが好ましく使用できる。
【００２８】
樹脂フィルムを用いる場合、開封テープ２を引っ張って外装フィルム３を引き裂いたときに、引き裂けるように、弱化加工部を設けておくのが良い。弱化加工部は、樹脂フィルムにミシン目やスリットを入れたり、細かな傷加工を施したりして設けることが出来る。
【００２９】
アンテナ６は、インレット基材５に導電性ペーストインキを用いて、アンテナパターンを印刷して設けることが好ましい。また、引き裂けるほど薄いアルミニウムや、銅、銀などの金属箔をインレット基材５に積層後、エッチングによりアンテナパターンにして設けることも出来る。
【００３０】
このインレット基材５に設けたアンテナ６に、ＩＣチップ７を接続させてインレット８を作成する。インレット８のＩＣチップ７やアンテナ６側に接着層９を設けて、インレット基材５と接着層９の間にＩＣチップ７やアンテナ６が挟まれるようにしたＩＣタグ４を作成する。
【００３１】
導電性ペーストインキには、銀のペーストインキを用いるのが好ましい。銀粉にバインダー樹脂や溶剤を配合してペースト化して用いる。また、銀粉以外に、銅、ニッケルなどの金属粉や、導電性カーボン粉末、導電性繊維、導電性ウィスカーなどを用いて、バイン
ダー樹脂や溶剤に配合しても良い。
【００３２】
接着層９には、粘着剤（感圧接着剤）が熱を掛ける必要がないので、好ましく用いられる。粘着剤は、粘着テープとして市販されているものが使い勝手がよい。この粘着テープには、基材レス両面テープとも呼ばれる基材を用いないタイプのものが好ましく使用できる。
【００３３】
ＩＣタグ４の周波数としては特に限定されず、ＨＦ帯、ＵＨＦ帯、ＬＦ帯などいずれの周波数のものでも良い。また、電源は内蔵しても良いが、本発明の場合は電源がなく、リーダー側から受ける電磁波のエネルギーを電源とするパッシブタイプとしたほうが、小さくすることが出来、邪魔にならず、また、安価であるので本発明の用途での使用には好ましい。
【実施例】
【００３４】
以下に、本発明の具体的実施例について説明する。
【００３５】
インレット基材５として坪量８９．３ｇ／ｍ２の紙を用意し、その片面に銀のペーストインキを用いシルクスクリーン印刷により、アンテナ６を設けた。このアンテナ６にＩＣチップ７を配線して取り付け、その面に基材のない粘着テープ（基材レス両面テープ）で接着剤層９を設け、ＵＨＦ帯（ＥＰＣ  ｇｌｏｂａｌ  Cｌａｓｓ１  Ｇｅｎｅｒａｔｉｏｎ２準拠）の本発明のＩＣタグ４を作成した。
【００３６】
別途、タバコ２０本入りの内装容器包装１の紙箱を、厚さ２０μｍのポリエチレンテレフタレートテープからなる開封テープ２を内側に接着した延伸ポリプロピレンフィルム２５μｍの外装フィルム３で包装した。
【００３７】
さきに作成したＩＣタグ４のインレット８のアンテナ６が、この包装体の開封テープ２を跨ぐように、接着層９を介して取り付け、本発明のＩＣタグ付包装体を作成した。
【００３８】
＜評価＞
この本発明のＩＣタグ付包装体の開封テープ２を端部から引っ張って、外装フィルム３を切断し、ＩＣタグ４をも破断して、開封して外装フィルム３の上部を取り去った。その結果、インレットが破壊して、ＩＣタグ４の応答する機能が失われた。
【００３９】
以上のように、本発明のＩＣタグ付包装体は、開封したときにインレットが容易に破壊され、確実にＩＣタグが破壊され、開封前とＩＣタグの応答が異なり、開封したことが確実に判定できる。
【符号の説明】
【００４０】
１００・・・ＩＣタグ付包装体
１・・・内装容器包装
２・・・開封テープ
３・・・外装フィルム
４・・・ＩＣタグ
５・・・インレット基材
６・・・アンテナ
７・・・ＩＣチップ
８・・・インレット
９・・・接着層
【図１】
2014154084.tif 000003
【図２】
2014154084.tif 000004